(57)【要約】【課題】構造簡易でかつ補助受け皿から打球供給皿への多数の遊技球の移送を一挙に行うことができる。【解決手段】遊技球Ｂを発射装置へと供給可能な打球供給皿１と、打球供給皿１の下方に配設された補助球受け皿２とを備える。球貯留部２３を含む補助球受け皿２全体を、その遊技球流出口２６からの遊技球Ｂの流出が打球供給皿１の前壁１４面によって規制された状態で当該前壁１４面の前方をこれに沿って上昇移動されるようにし、上昇位置にて前壁１４面による規制状態が解消された遊技球流出口２６を経て、球貯留部２３上から打球供給皿１内へ遊技球Ｂを流出させる。【選択図】        図６
2010022548.tif 000002
【特許請求の範囲】
【請求項１】
遊技球を貯留する第一球受け部と、前記第一球受け部が遊技球で満杯の時に遊技球を貯留する第二球受け部とを設け、第二球受け部の少なくとも一部を移動可能として、前記第二球受け部内の遊技球を前記第一球受け部に流出させ供給するようにした遊技機の球受け部構造。
【請求項２】
前記第一球受け部を、遊技球を発射装置へと供給可能な打球供給皿とし、前記第二球受け部を、前記打球供給皿の下方に配設され、打球供給皿が遊技球で満杯の時に遊技球を貯留する補助球受け皿とし、球貯留部を含む前記補助球受け皿全体を、その遊技球流出口からの遊技球の流出が前記打球供給皿の壁面によって規制された状態で当該壁面の前方をこれに沿って上昇移動されるようにし、上昇位置にて前記壁面による規制状態が解消された前記遊技球流出口を経て、前記球貯留部上から前記打球供給皿内へ遊技球を流出させるようにした請求項１に記載の遊技機の球受け部構造。
【請求項３】
前記第一球受け部を、遊技球を発射装置へと供給可能な打球供給皿とし、前記第二球受け部を、前記打球供給皿の下方に隣接して配設され、打球供給皿が遊技球で満杯の時に遊技球を貯留する補助球受け皿とし、前記補助球受け皿の球貯留部を、上方へ向いて開放する凹所として形成し、前記凹所の一部として構成された底壁を、前記凹所内で上昇移動させて、上昇位置にて前記底壁上から前記打球供給皿内へ遊技球を流出させるようにした請求項１に記載の遊技機の球受け部構造。
【発明の詳細な説明】
【技術分野】
【０００１】
本発明は遊技機の球受け部構造に関し、特に、遊技機に設けた第二球受け部から第一球受け部への遊技球の供給を簡易に行うことができる球受け部構造に関する。  
【背景技術】
【０００２】
パチンコ遊技機等において、遊技球を発射装置へ供給するための打球供給皿を第一球受け部として設けるとともに、打球供給皿の下方に、打球供給皿が遊技球で満杯の時に遊技球を貯留する第二球受け部としての補助球受け皿を設けたものがある。この場合、打球供給皿の遊技球が次第に減少すると、補助球受け皿に貯留された遊技球を打球供給皿内へ補充する必要があるが、これは従来、遊技者が補助球受け皿内の遊技球を手で掴んで行っていた。しかしこれは、遊技中の遊技者にとって煩雑であるとともに、往々にして遊技球が手から零れる等の不具合があった。そこで、例えば特許文献１には、モータ駆動の螺旋羽根によって補助球受け皿から打球供給皿へ遊技球を移送するようにした球受け部構造が提案されている。
【特許文献１】特開２００３−３４００８６
【発明の開示】
【発明が解決しようとする課題】
【０００３】
しかし、上記提案の構造は、構造全体が複雑であるとともに、遊技球を逐次的に送るものであるため多くの遊技球の移送を短時間で一挙にできないという問題があった。
【０００４】
そこで、本発明はこのような課題を解決するもので、構造簡易でかつ球受け部間の多数の遊技球の移送を短時間で行うことができる遊技機の球受け部構造を提供することを目的とする。
【課題を解決するための手段】
【０００５】
上記目的を達成するために、本第１発明では、遊技球（Ｂ）を貯留する第一球受け部（１，６）と、前記第一球受け部（１，６）が遊技球（Ｂ）で満杯の時に遊技球（Ｂ）を貯留する第二球受け部（２，５，７）とを設け、第二球受け部（２，５，７）の少なくとも一部を移動可能として、前記第二球受け部（２，５，７）内の遊技球を前記第一球受け部（１，６）に流出させ供給する。
【０００６】
本第１発明においては、第二球受け部の一部を移動可能としたことにより、モータ駆動の螺旋羽根によって遊技球を移送する従来構造に比して簡易な構造で、第二球受け部から第一球受け部への、多数の遊技球の移送を纏めて短時間で行うことができる。併せて、遊技者が自らの手で遊技球を掴んで第二球受け部から第一球受け部へ遊技球を移送する必要がないので、移送する際の遊技球の零れを防止できるとともに、遊技球への手脂の付着がないから球飛びの不良を避けることができる。
【０００７】
本第２発明では、前記第一球受け部を、遊技球（Ｂ）を発射装置へと供給可能な打球供給皿（１）とし、前記第二球受け部を、前記打球供給皿（１）の下方に配設され、打球供給皿（１）が遊技球（Ｂ）で満杯の時に遊技球（Ｂ）を貯留する補助球受け皿（２）とし、球貯留部（２３）を含む前記補助球受け皿（２）全体を、その遊技球流出口（２６）からの遊技球の流出が前記打球供給皿（１）の壁面（１４）によって規制された状態で当該壁面（１４）の前方をこれに沿って上昇移動されるようにし、上昇位置にて前記壁面（１４）による規制状態が解消された前記遊技球流出口（２６）を経て、前記球貯留部（２３）上から前記打球供給皿（１）内へ遊技球（Ｂ）を流出させる。
【０００８】
本第２発明においては、従来から一般的に遊技機の構成として用いられてきた、上下皿方式の遊技機の下皿（補助球受け皿）に本発明が利用可能であり、その補助球受け皿を上昇移動させる動作の過程において、球流出口からの遊技球の流出を上皿（打球供給皿）の壁面を利用して規制することができる。また、補助球受け皿を取り外すことなく、打球供給皿の壁面に沿って上昇移動させることで遊技球を移送することができる。これにより、球零れを更に確実に防止できるとともに、遊技球を移送する操作も簡易である。
【０００９】
本第３発明では、前記第一球受け部を、遊技球を発射装置へと供給可能な打球供給皿（６）とし、前記第二球受け部を、前記打球供給皿（６）の下方に隣接して配設され、打球供給皿（６）が遊技球（Ｂ）で満杯の時に遊技球（Ｂ）を貯留する補助球受け皿（７）とし、前記補助球受け皿（７）の球貯留部（７１）を、上方へ向いて開放する凹所として形成し、前記凹所の一部として構成された底壁（７２）を、前記凹所内で上昇移動させて、上昇位置にて前記底壁（７２）上から前記打球供給皿（６）内へ遊技球（Ｂ）を流出させる。
【００１０】
本第３発明においては、補助球受け皿の球貯留部が、凹所で形成された空間内に収まるように構成されている。これにより、底壁を上昇移動させる動作の過程において、凹所の一部として形成され、固定された状態の外周側壁によって遊技球の流出を規制することができる。これにより、球零れを更に確実に防止できるとともに、遊技球を移送する操作も簡易である。また、補助球受け皿全体ではなく底壁だけを動かせばよいので、上昇移動の際の荷重を軽減することができる。また、補助球受け皿全体を動かす場合と比較して、遊技機の周辺部材および遊技者に対しての干渉等の悪影響を無くすことができる。
【００１１】
なお、上記カッコ内の符号は、後述する実施形態に記載の具体的手段との対応関係を示すものである。
【発明の効果】
【００１２】
以上のように、本発明の遊技機の球受け部構造によれば、構造簡易であり、しかも球受け部間の、多数の遊技球の移送を短時間で行うことができる。
【発明を実施するための最良の形態】
【００１３】
（第１実施形態）
図１には本発明の球受け部構造を備えたパチンコ遊技機の正面図を示す。図１において、遊技機Ｅの下半部には中央に第一球受け部としての打球供給皿１が設けられており、その下方には詳細を後述する構造で第二球受け部としての補助球受け皿２が位置させられている。なお、打球供給皿１の斜め下方には発射ハンドル３が設けられている。図２には打球供給皿１の平面図を示す。打球供給皿１は上方へ開放する凹状に形成された球貯留部１１を有しており、球貯留部１１の一端には、球払出し装置（図示略）から払い出された遊技球が流下する遊技球排出路４（図６参照）に通じる球出口１２が開口している。球貯留部１１は左右方向の一端から他端へ向けて一旦幅が拡がった後、漸次その幅が狭くなって図略の発射装置へ連通している。球出口１２から球貯留部１１内へ排出された遊技球は一旦球貯留部１１内で拡がった後、漸次拡がりが絞られて一列になって発射装置へ供給される。なお、打球供給皿１の前壁は上端中央部が一定範囲で切り欠かれて遊技球流入口１３となっている。
【００１４】
図３には打球供給皿１と補助球受け皿２を前方から見た概略的な斜視図を示し、図４にはこれらを後方から見た概略的な斜視図を示す。補助球受け皿２は側面視でＬ字形の方形容器状に成形されており、水平部２１の凹陥した内部が球貯留部２３となっている。この球貯留部２３の底壁にはシャッタ板２５１で閉じられた球抜き開口２４が設けられている。シャッタ板２５１は水平部２１の前側面に設けられた操作レバー２５によって開放操作される。
【００１５】
補助球受け皿２の垂直部２２の凹陥した内部には、球貯留部２３に連続するとともに上下方向へ延びる垂直壁２８が形成されており、垂直部２２の上端部が上方へ開放する遊技球流出口２６となっている。上記垂直部２２の両側壁の上端は打球供給皿１の前壁１４表面に近接しており、上記上端からはやや薄肉となった、ガイド機構を構成するガイド突起２７が突出している（図４）。
【００１６】
一方、打球供給皿１の前壁１４（図３）には遊技球流入口１３の下方両側に、上下方向へ略９０度の角度範囲で延びるガイド用長穴１４１が平行に形成されて、これらガイド用長穴１４１内に上記ガイド突起２７が挿入されている。各ガイド突起２７の両側前後位置にはローラ２７１（図４）が設けてあり、これらローラ２７１が図５に示すように、打球供給皿１の前壁１４の裏面に当接している。なお、ローラ２７１の背後にはカバー体１５が設けられてガイド用長穴１４１を打球供給皿１内で閉鎖している。このカバー体１５によって、ガイド用長穴１４１から異物が挿入されたときに、その異物が内部へ侵入してしまうことを防ぐことができる。このような構造により、補助球受け皿２はその遊技球流出口２６が打球供給皿１の前壁１４表面によって閉鎖された状態で、すなわち、遊技球流出口２６からの遊技球Ｂの流出が打球供給皿１の前壁１４表面によって規制された状態で、ガイド用長穴１４１の形成範囲内で前壁１４表面の前方をこれに沿って旋回昇降移動できるようになっている（図５の矢印）。
【００１７】
このような構造において、通常は補助球受け皿２を下方移動端（図６のＸ位置）に位置させておく。この状態では、補助球受け皿２の垂直部２２の遊技球流出口２６が、打球供給皿１の下方に設けた球出口１６を経て適宜オーバーフロー機構を経由して遊技球排出路４に連通している。これにより、打球供給皿１が満杯になるとオーバーフロー機構により遊技球排出路４から球出口１６を経て遊技球Ｂが補助球受け皿２の水平部２１の球貯留部２３内へ流入する。なお、この状態で操作レバー２５（図３）によりシャッタ板２５１を開けると、貯留部２３内の遊技球Ｂは球抜き開口２４を経て、補助球受け皿２の下方に設置した球箱Ｆ（図６）内へ落下排出される。
【００１８】
遊技において打球供給皿１内の遊技球Ｂが少なくなり、補助球受け皿２内の遊技球Ｂを打球供給皿１内へ補充したい場合には、補助球受け皿２を打球供給皿１の前壁１４壁面に沿って旋回上昇させて上方移動端（図６のＹ位置）に位置させる。上方移動端では補助球受け皿２の姿勢が略９０度変化してその球貯留部２３が垂直姿勢となり、図４に示すように遊技球流出口２６が打球供給皿１の遊技球流入口１３に連通して開放されて遊技球Ｂの流出規制が解除される。これにより、補助球受け皿２の球貯留部２３から打球供給皿１に向かって下り傾斜状になった垂直壁２８を経由して打球供給皿１の球貯留部１１内へ一挙に遊技球Ｂが流出し供給される（図６）。なお、補助球受け皿２が上昇している間、球出口１６から排出される遊技球Ｂは、球箱Ｆ内に直接落下するように構成されている。
【００１９】
本実施形態において、補助球受け皿２を遊技機における中央部に配設せず左側に配設しても良い。一般的に遊技者が遊技球を発射するために操作する発射ハンドル３は遊技機の右下部に配設されており、遊技者は通常右手で発射ハンドル３を操作する。よってそれ以外の操作は左手で行うことになるのであるが、その場合、補助球受け皿２を左側部に配設しておけば、左手による補助球受け皿２の上昇移動の動作を比較的容易に行うことができる。また、球貯留部１１の球貯留域として比較的広く貯留領域が形成されている球出口１２前方の球貯留域のみに向けて遊技球を供給することができ、球貯留部１１内の遊技球一列整流機構部に向けての遊技球の流入を抑えることができるので、球貯留部１１内での球詰りを防止することができる。また、補助球受け皿２に持ち上げ用のレバー等を設ければ、補助球受け皿２の旋回上昇をより容易に行うことができる。さらに、補助球受け皿２の前方側の開放部を透明カバーで覆えば、貯留されている遊技球Ｂの視認性を損なうことなく遊技球Ｂの飛び出しを確実に防止することができる。また、上昇移動時の球貯留部２３内の視認性を向上させるために補助球受け皿２全体を透明部材で構成しても良い。なお、補助球受け皿２の移動ガイド機構は上述したものに限られるものではない。
【００２０】
（第２実施形態）
図７には球受け部構造の他の実施形態を示す。本実施形態では、補助球受け皿５は上方へ開放する矩形の容器状をなして内部が球貯留部５１となっている。補助球受け皿５はその両側面が支持アーム５２によって支持されている。すなわち、各支持アーム５２は二本のアーム体５２１，５２２で構成されており、アーム体５２１の基端が打球供給皿１の下方の球皿パネルＰ壁面に回動可能に連結されている。そして、当該アーム体５２１の先端にアーム体５２２の基端が回動可能に連結され、アーム体５２２の先端が補助球受け皿５の側面に回動可能に結合されている。なお、補助球受け皿５の底壁に第１実施形態と同様の球抜き機構が設けられている。また、打球供給皿の基本構造は第１実施形態と同様であり同一部分には同一符号を付してある。
【００２１】
このような構造において、通常は図８に示すように、補助球受け皿５を下方移動端（図８のＸ位置）に位置させておく。この状態で、打球供給皿１が満杯になると遊技球排出路４を経て、補助球受け皿５直上の、打球供給皿１の前壁面１４に開口している球出口１６から遊技球Ｂが補助球受け皿５の球貯留部５１内へ落下供給される。打球供給皿１内の遊技球Ｂが少なくなり、補助球受け皿５内の遊技球Ｂを打球供給皿１内へ補充したい場合には、支持アーム５２を旋回させて補助球受け皿５を上方移動端（図８のＹ位置）へ移動させ、さらに補助球受け皿５を反転させてその球貯留部５１から打球供給皿１の球貯留部１１内へ一挙に遊技球Ｂを落下供給する。なお、補助球受け皿５が上昇している間、球出口１６から排出される遊技球Ｂは、球箱Ｆ内へ直接落下する。
【００２２】
本実施形態によれば、第１実施形態と異なって、補助球受け皿５が打球供給皿１から離れた状態で旋回させられるから、打球供給皿１の外観意匠が制約されないという利点がある。
【００２３】
（第３実施形態）
図９〜図１１には本発明の第３実施形態を示す。図９は球受け部構造の正面図、図１０はその平面図、図１１は図１０のXI−XI線に沿った断面図である。本実施形態では、打球供給皿６と補助球受け皿７が上下に隣接した一体構造となっている。すなわち、一体型球受け部の上半部に形成された上記打球供給皿６は、上方へ開放する凹状の球貯留部６１を有しており、球貯留部６１の一端には、球払出し装置（図示略）から払い出された遊技球が流下する遊技球排出路４（図６参照）に通じる球出口１２が開口している。球貯留部６１は左右方向の一端から他端へ向けて一旦幅が拡がった後、漸次その幅が狭くなって、図略の発射装置へ連通する球供給口１７へ至っている。また、球貯留部６１において、詳細を後述する補助球受け皿７と隣接する仕切り領域には、球貯留部６１に向かって若干下り傾斜するように形成された突部６３（図９、図１１）が設けられている。この突部６３によって、球貯留部６１に流下してきた遊技球Ｂが不要に補助球受け皿７ヘ向けて流下してしまうことを防止することができる。また、球貯留部６１に遊技球Ｂが満杯状態の時は、それ以降に球貯留部６１に向けて流下してくる遊技球Ｂの球圧を利用して仕切り領域周辺に位置する遊技球Ｂを突部６３より乗り上げさせて補助球受け皿７側へと流下させ、補助球受け皿７に貯留させるように構成することもできる。
【００２４】
一体型球受け部の下半部に形成された補助球受け皿７ではその球貯留部７１が、上方へ向いて開放する矩形の凹所として打球供給皿６の球貯留部６１に隣接する位置に形成されている。補助球受け皿７の球貯留部７１の側壁には球出口１８が開口しており、打球供給皿６が満杯になると遊技球排出路４から球出口１８を経て遊技球が補助球受け皿７の球貯留部７１内へ流入するようになっている。
【００２５】
補助球受け皿７の球貯留部７１内にはその凹所の底面に額縁状に形成された底壁７１１に近接して、球貯留部７１の横断面よりもやや小型の、板状の可動底壁７２が配設してある。可動底壁７２の前縁の左右位置からは前方へ平行に操作アーム７３１が延びている。操作アーム７３１は一体型球受け部の前壁６２に形成された長穴６２１，６２２を貫通して前方へ延び、その先端間にはハンドル７３が取着されている。左右の長穴６２１，６２２は同方向へやや湾曲傾斜しつつ上方へ延びるとともに、長穴６２２が長穴６２１よりもやや上方へ至っている。なお、各長穴６２１，６２２にはこれに沿って埃侵入防止用のゴムカバーが装着されている。また、可動底壁７２の後縁にも同様の可動アームが設けられており、適宜可動構造により凹所の後側壁面を上下動可能に構成されている。さらに、この可動底壁７２にも第１実施形態と同様の球抜き機構が設けられている。
【００２６】
このような構造において、通常は図１１に示すように、可動底壁７２を球貯留部７１の底壁７１１に近接した下方移動端（図１１のＸ位置）に位置させておく。この状態で、打球供給皿６の球貯留部６１が満杯になると、球貯留部６１から補助球受け皿７の球貯留部７１内へ直接、あるいは遊技球排出路４を経て球出口１８から補助球受け皿７の球貯留部７１内へ遊技球Ｂが排出供給されて、球貯留部７１の凹所の一部を構成する可動底壁７２上へ貯留される。
【００２７】
打球供給皿６内の遊技球Ｂが少なくなり、補助球受け皿７内の遊技球Ｂを打球供給皿６内へ補充したい場合には、ハンドル７３を掴んでこれを引き上げると、これに伴って可動底壁７２が上昇する。この上昇に伴い、球貯留部７１内の可動底壁７２上に貯留されている遊技球Ｂは上層のものから打球供給皿６の球貯留部６１内へ流出させられる。そして、長穴６２２(図９)が相対的に上方へ至っていることにより、上方移動端（図１１のＹ位置）において可動底壁７２は打球供給皿６の球貯留部６１に向けて傾斜して、可動底壁７２上の遊技球Ｂは全て打球供給皿６の球貯留部６１内へ流出し供給される。
【００２８】
本実施形態において、補助球受け皿７の球貯留部７１に対応した前壁６２部分を透明にすれば、球貯留部７１内の遊技球Ｂの状態を容易に確認することができる。また、本実施形態において、球貯留部７１の底壁７１１を設けず、可動底壁７２だけとしても良い。
【００２９】
（その他の実施形態）
第１から第３実施形態において、上昇途中で補助球受け皿２，５あるいは可動底壁７２を停止可能な構造とすれば、遊技者の腕が疲れるのを回避できる。加えて、補助球受け皿２，５，７を介さずに直接球箱Ｆに遊技球Ｂを排出することが可能になり、球箱Ｆへの速やかな遊技球Ｂの移し替えが可能になる。また、上記各実施形態において、補助球受け皿２，５ないし可動底壁７２が上昇している間は球の払出しを停止するようにしても良い。あるいは、補助球受け皿２，５や可動底壁７２が上昇している間は、球出口１６、１８を塞ぐシャッタ機構を適宜設けても良い。このようにすれば、仮に球箱Ｆの配設がなされていなかったとしても、それによる遊技球Ｂの放出を確実に防止することができる。さらに、上記各実施形態において、補助球受け皿２，５ないし可動底壁７２の昇降を電動で行うようにしても良い。
【図面の簡単な説明】
【００３０】
【図１】本発明の第１実施形態における球受け部構造を備えたパチンコ遊技機の正面図である。
【図２】打球供給皿の平面図である。
【図３】打球供給皿と補助球受け皿を前方から見た斜視図である。
【図４】打球供給皿と補助球受け皿を後方から見た斜視図である。
【図５】補助球受け皿の移動ガイド構造を示す部分断面側面図である。
【図６】補助球受け皿の移動行程を示す側面図である。
【図７】本発明の第２実施形態における打球供給皿と補助球受け皿を前方から見た斜視図である。
【図８】補助球受け皿の移動行程を示す側面図である。
【図９】本発明の第３実施形態における一体型球受け部の正面図である。
【図１０】一体型球受け部の平面図である。
【図１１】図１０のXI−XI線に沿った断面図である。
【符号の説明】
【００３１】
１，６…打球供給皿（第一球受け部）、１４…前壁(壁面)、１４１…ガイド用長穴、２，５，７…補助球受け皿（第二球受け部）、２３…球貯留部、２６…遊技球流出口、２７…ガイド突起、７２…可動底壁（底壁）、７３…ハンドル、Ｂ…遊技球。
【図１】
2010022548.tif 000003
【図２】
2010022548.tif 000004
【図３】
2010022548.tif 000005
【図４】
2010022548.tif 000006
【図５】
2010022548.tif 000007
【図６】
2010022548.tif 000008
【図７】
2010022548.tif 000009
【図８】
2010022548.tif 000010
【図９】
2010022548.tif 000011
【図１０】
2010022548.tif 000012
【図１１】
2010022548.tif 000013